(57)【要約】【課題】  ダストカバーと共にディスクドライブをシャーシに組み付ける際の組立作業性を向上させることのできるディスク装置を提供することを目的とする。【解決手段】  ディスクドライブ１０とその下側に配備されるダストカバー２０とをシャーシ１００に共通の取付けビス１０を介してビス止めするようになっているディスク装置において、ダストカバー２０を定形の樹脂成形体で作り、ダストカバー２０をディスクドライブ１０に仮固定するための仮固定手段５０をダストカバー２０に設けることによって、ダストカバー２０を仮固定したディスクドライブ１０をシャーシ１００にビス止めすることができるようにした。【選択図】        図１
2008112529.tif 000002
【特許請求の範囲】
【請求項１】
１つの筐体に磁気テープの磁気的処理を行う磁気テープ装置と共にその横に並べて収容されるディスク装置であって、ディスク記録面の光学的処理を行う光ピックアップを搭載しかつ上記ディスク装置よりも高さの低いディスクドライブと、このディスクドライブの開放された下面の全体を覆って上記光ピックアップを防塵するダストカバーとを備え、上記ディスクドライブと上記ダストカバーとが重なり状態でシャーシに共通の取付けビスを介してビス止めされるディスク装置において、
上記ダストカバーが、定形の樹脂成形体でなると共に、このダストカバーを上記ディスクドライブに仮固定するための仮固定手段と、ディスクドライブに対する仮固定状態でそのディスクドライブに具備されている取付け孔部に挿通させた取付けビスが挿通される取付けビス挿通孔部とを有し、
上記仮固定手段が、上記ディスクドライブに具備されている横向き突片を挟む座面とこの座面に対向する押さえ片とを有し、その押さえ片は、上記ディスクドライブを上記ダストカバーにその上方から下降させて重ね合わせる作業を行うときに上記横向き突片に摺動して弾性変形しながらその横向き突片を乗り越えさせた後に初期位置に復帰するように構成され、かつ、その押さえ片を乗り越えて上記座面に着座した上記横向き突片を上記押さえ片の初期位置への復帰動作を通じてその座面との間に挟み込む押さえ面を備え、上記ダストカバーが、上記シャーシと上記ディスクドライブとの間に挟まれた上記ディスクドライブにより上記磁気テープ装置の高さに見合う高さにまで嵩上げされるようになっていることを特徴とするディスク装置。
【請求項２】
ディスク記録面の光学的処理を行う光ピックアップを搭載したディスクドライブと、このディスクドライブの開放された下面の全体を覆って上記光ピックアップを防塵するダストカバーとを備え、それらのディスクドライブとダストカバーとが重なり状態でシャーシに共通の取付けビスを介してビス止めされるディスク装置において、
上記ダストカバーが、このダストカバーを上記ディスクドライブに仮固定するための仮固定手段と、ディスクドライブに対する仮固定状態でそのディスクドライブに具備されている取付け孔部に挿通させた取付けビスが挿通される取付けビス挿通孔部とを有していることを特徴とするディスク装置。
【請求項３】
上記ダストカバーが、定形の樹脂成形体でなる請求項２に記載したディスク装置。
【請求項４】
上記仮固定手段が、上記ディスクドライブに具備されている横向き突片を挟む座面とこの座面に対向する押さえ片とを有し、その押さえ片は、上記ディスクドライブを上記ダストカバーにその上方から下降させて重ね合わせる作業を行うときに上記横向き突片に摺動して弾性変形しながらその横向き突片を乗り越えさせた後に初期位置に復帰するように構成され、かつ、その押さえ片を乗り越えて上記座面に着座した上記横向き突片を上記押さえ片の初期位置への復帰動作を通じてその座面との間に挟み込む押さえ面を備えている請求項３に記載したディスク装置。
【請求項５】
上記ダストカバーが、上記シャーシと上記ディスクドライブとの間に挾まれてシャーシに対してディスクドライブを嵩上げするための嵩上げ機能を有している請求項２ないし請求項４のいずれか１項に記載したディスク装置。
【発明の詳細な説明】
【技術分野】
【０００１】
本発明は、ディスク装置、特に、ディスクドライブの開放された下面の全体をダストカバーで覆うことによって、そのディスクドライブに備わっている光ピックアップを防塵しているディスク装置に関する。
【背景技術】
【０００２】
ディスク記録面を光学的に処理するための光ピックアップを備えたディスク装置では、光ピックアップの対物レンズの作用で光束を絞ることが行われているために、その対物レンズに塵芥が付着すると、対物レンズに要求されている性能が十分に発揮されなくなったりディスク記録面に対して照射される光量が不足したりして画像品質や音声品質が低下しやすくなる。そこで、この種のディスク装置にあっては、防塵対策に関して従来より種々の提案がなされている（たとえば、特許文献１、特許文献２、特許文献３参照）。
【０００３】
このうち、特許文献１に記載されているディスク駆動装置では、光ヘッドを備える本体モジュールの上方をダストカバーで覆うと共に、光ディスクカートリッジの挿入排出動作に連動して開閉する防塵シャッタを設けてある。また、特許文献２に記載されている光ディスク装置では、プレート及びカバーによって形成された密閉空間に光学ヘッドを配備することが概略的に記載されている。さらに、特許文献３には、光学ピックアップが取り付けられているフレームに、光学ピックアップを露出させる開口を備えたカバーを取り付けることが記載されている。
【０００４】
ところで、光ピックアップを搭載したディスク装置にあっては、その構造上、光ピックアップの防塵対策として、光ピックアップだけにダストカバーを取り付けてその対物レンズに塵芥が付着することを防止するという構造を採用することのできないことが多い。そこで、ディスクドライブの開放された下面の全体をダストカバーで覆って光ピックアップを防塵するという対策を講じることがあった。この事例を図６を参照して次に説明する。
【０００５】
図６は従来例によるディスク装置とそのディスク装置が取り付けられるシャーシとを示した概略分解斜視図である。同図において、１０はディスクドライブ、２０はダストカバー、１００はシャーシをそれぞれ示している。ディスクドライブ１０は、樹脂成形体でなる枠フレーム１１にデイスク（不図示）の出し入れを行うためのディスクトレイ１２や光ピックアップ（不図示）などが組み付けられていて、枠フレーム１１はその下面が開放している。
【０００６】
これに対し、ダストカバー２０は、ポリカーボネット（ＰＣ）樹脂などで作られた腰の強い樹脂シートを所定形状に折り曲げることによって製作されている。そして、ディスクドライブ１０にダストカバー２０を取り付けてディスクドライブ１０の開放された下面の全体を覆わせる工程は、シャーシ１００にディスクドライブ１０を取り付ける工程の中で併せて行われている。すなわち、シャーシ１００の所定位置にダストカバー２０を置いた後、そのダストカバー２０の上にディスクドライブ１０を仮置きすることにより、ダストカバー２０のビス挿通孔部２１にディスクドライブ１０の備わっている取付け孔部１３を合わせ、その上でディスクドライブ１０の取付け孔部１３に挿通させた取付けビス１１０をダストカバー２０の取付けビス挿通孔部２１に挿通させてシャーシ１００の取付け孔１２０にねじ込むという作業を行っていて、この作業を行うことにより、ディスクドライブ１０の開放された下面をダストカバー２０で覆わせるようにしていた。
【０００７】
この従来例において、ダストカバー２０に腰の強い樹脂シートを用いたのは、樹脂シートを用いれば、その樹脂シートを折り曲げるだけでダストカバー２０を製作することができること、樹脂シートは任意形状に折り曲げることができるために、試作したダストカバー２０の効果を確認しやすいこと、などが主な理由になっている。
【特許文献１】特開平９−７３７６７号公報
【特許文献２】特開平７−２８２５７４号公報
【特許文献３】特開平５−３４２８１６号公報
【発明の開示】
【発明が解決しようとする課題】
【０００８】
しかしながら、樹脂シートを折り曲げて製作したダストカバー２０には、次のような問題点が知見された。
【０００９】
すなわち、ディスクドライブ１０の開放された下面の全体を覆わせるのに適した形状に樹脂シートを折り曲げる工程が煩雑で熟練を要するという問題があった。
【００１０】
また、ダストカバー２０が、腰の強い樹脂シートを折り曲げるだけで製作されているに過ぎないために定形性に乏しく、ディスクドライブ１０と共にシャーシ１００にビス止めして取り付ける際に、そのダストカバー２０が揺れ動いたりして作業性が悪いという問題や、シャーシ１００の上でディスクドライブ１０とダストカバー２０とを位置合わせしてそれらの取付け孔部１３と取付けビス挿通孔部２１とを合わせるのに手間と熟練を要し、ディスク装置全体の生産を効率が低下するという問題があった。
【００１１】
さらに、ディスクドライブ１０から引き出したケーブル（不図示）をそのディスクドライブ１０の下側に引き廻す必要があるときには、ケーブルがダストカバー２０に当たってダストカバー２０が変形するという事態が多々起こり、そのことが組立作業性を低下させることがあるという問題もあった。
【００１２】
本発明は以上の問題に鑑みてなされたものであり、ダストカバーと共にディスクドライブをシャーシに組み付ける際の組立作業性を向上させることのできるディスク装置を提供することを目的とする。
【００１３】
これに加えて、本発明は、ＰＣ樹脂シートなどの樹脂シートを折り曲げることによって製作したダストカバーの代わりに、樹脂成形体でなる定形性を持ったダストカバーを用いることによって、ケーブルとの接触によるダストカバーの変形を防止したり、組立精度を高めたりすることのできるディスク装置を提供することを目的とする。
【課題を解決するための手段】
【００１４】
本発明に係るディスク装置は、ディスク記録面の光学的処理を行う光ピックアップを搭載したディスクドライブと、このディスクドライブの開放された下面の全体を覆って上記光ピックアップを防塵するダストカバーとを備え、それらのディスクドライブとダストカバーとが重なり状態でシャーシに共通の取付けビスを介してビス止めされる。そして、上記ダストカバーが、このダストカバーを上記ディスクドライブに仮固定するための仮固定手段と、ディスクドライブに対する仮固定状態でそのディスクドライブに具備されている取付け孔部に挿通させた取付けビスが挿通される取付けビス挿通孔部とを有している。
【００１５】
この構成であると、ディスクドライブをシャーシにビス止めするのに先立って、ダストカバーに具備されている仮固定手段を利用してそのダストカバーをディスクドライブに仮固定することが可能である。また、ダストカバーをディスクドライブに仮固定した状態では、ディスクドライブの取付け孔部に挿通させた取付けビスをダストカバーの取付けビス挿通孔部に挿通させ得るようになっているので、ダストカバーが仮固定されたディスクドライブをシャーシに取付けビスを用いてビス止めするときの作業性が改善される。
【００１６】
本発明では、上記ダストカバーが、定形の樹脂成形体でなることが望ましい。ダストカバーに定形の樹脂成形体を用いると、ディスクドライブから引き出されたケーブルがダストカバーに当たってもそのダストカバーが変形するというおそれがなくなる。また、ダストカバーが定形性を有していることにより、定形性の乏しい従来例のダストカバーよりも取付精度が改善される。
【００１７】
本発明では、上記仮固定手段が、上記ディスクドライブに具備されている横向き突片を挟む座面とこの座面に対向する押さえ片とを有し、その押さえ片は、上記ディスクドライブを上記ダストカバーにその上方から下降させて重ね合わせる作業を行うときに上記横向き突片に摺動して弾性変形しながらその横向き突片を乗り越えさせた後に初期位置に復帰するように構成され、かつ、その押さえ片を乗り越えて上記座面に着座した上記横向き突片を上記押さえ片の初期位置への復帰動作を通じてその座面との間に挟み込む押さえ面を備えているという構成を採用することが望ましい。これによれば、ディスクドライブをシャーシにビス止めするのに先立って行われるディスクドライブに対するダストカバーの仮固定を、熟練を要することなく迅速にかつ確実に行うことができるようになる。
【００１８】
本発明では、上記ダストカバーが、上記シャーシと上記ディスクドライブとの間に挾まれてシャーシに対してディスクドライブを嵩上げするための嵩上げ機能を有していることが望ましい。これによれば、ディスクドライブの設置高さを当該ディスク装置を収容する筐体の高さに合わせることができるようになるという利点がある。
【００１９】
本発明に係るディスク装置は、次の構成を採用することによっていっそう具体化される。すなわち、１つの筐体に磁気テープの磁気的処理を行う磁気テープ装置と共にその横に並べて収容されるディスク装置であって、ディスク記録面の光学的処理を行う光ピックアップを搭載しかつ上記ディスク装置よりも高さの低いディスクドライブと、このディスクドライブの開放された下面の全体を覆って上記光ピックアップを防塵するダストカバーとを備え、上記ディスクドライブと上記ダストカバーとが重なり状態でシャーシに共通の取付けビスを介してビス止めされるディスク装置において、上記ダストカバーが、定形の樹脂成形体でなると共に、このダストカバーを上記ディスクドライブに仮固定するための仮固定手段と、ディスクドライブに対する仮固定状態でそのディスクドライブに具備されている取付け孔部に挿通させた取付けビスが挿通される取付けビス挿通孔部とを有し、上記仮固定手段が、上記ディスクドライブに具備されている横向き突片を挟む座面とこの座面に対向する押さえ片とを有し、その押さえ片は、上記ディスクドライブを上記ダストカバーにその上方から下降させて重ね合わせる作業を行うときに上記横向き突片に摺動して弾性変形しながらその横向き突片を乗り越えさせた後に初期位置に復帰するように構成され、かつ、その押さえ片を乗り越えて上記座面に着座した上記横向き突片を上記押さえ片の初期位置への復帰動作を通じてその座面との間に挟み込む押さえ面を備え、上記ダストカバーが、上記シャーシと上記ディスクドライブとの間に挟まれた上記ディスクドライブにより上記磁気テープ装置の高さに見合う高さにまで嵩上げされるようになっている、という構成を採用することによっていっそう具体化される。この発明の作用などは後述する実施形態を参照して詳細に説明する。
【発明の効果】
【００２０】
上記したように、本発明によると、ダストカバーをディスクドライブに仮固定した後で、それらをシャーシに組み付けることができるために、従来例のようにダストカバーとディスクドライブとをこの順にシャーシの上に積み重ねてからそれらをシャーシに組み付けるものに比べて組立作業性が改善される。また、タストカバーを定形の樹脂成形体で構成したものでは、ケーブルとの干渉などによってダストカバーが変形するという事態の起こるおそれがないばかりか、組立精度も向上するという効果が奏される。
【発明を実施するための最良の形態】
【００２１】
図１は本発明に係るディスク装置の概略斜視図、図２はダストカバー２０の斜視図、図３はダストカバー２０が仮固定されたディスクドライブ１０を一部省略して説明的に示した縦断面図、図４はディスクドライブ１０とダストカバー２０とをシャーシ１００にビス止めした状態を説明的に示した縦断面図である。
【００２２】
図１のディスク装置において、ディスクドライブ１０は、樹脂成形体でなる枠フレーム１１にデイスク（不図示）の出し入れを行うためのディスクトレイ１２や光ピックアップ（不図示）などが組み付けられていて、枠フレーム１１はその下面が開放している。これに対し、ダストカバー２０は、定形の樹脂成形体でなり、そのダストカバー２０に一体に設けられた仮固定手段５０を介してディスクドライブ１０に仮固定されていて、そのディスクドライブ１０の枠フレーム１１の開放された下面の全体を覆っている。そして、図例のダストカバー２０は、図６を参照して説明したＰＣ樹脂などの腰の強い樹脂シートを折り曲げることによって製作されたダストカバー２０の代わりに用いられている。ここで、この実施形態の場合のようにダストカバー２０を定形の樹脂成形体で作る場合と、図６で説明した従来例のようにダストカバー２０を樹脂シートを折り曲げて作る場合とを対比してみると、樹脂シートを折り曲げて作る場合には折曲げ加工に時間がかかってその加工に熟練を要するために、量産によるコストダウンという面では、定形の樹脂成形体で作る方が勝っている。すなわち、定形の樹脂成形体で作る方が、ダストカバー２０の単価を安く抑えることができる。
【００２３】
図２のように、定形の樹脂成形体でなるダストカバー２０は、矩形の下板部２２と、その下板部２２の４辺から立ち上がった矩形枠形の側板部２３とを備えていて、側板部２３の上端縁の適所に凹入部２４，２５，２６や取付けビス挿通孔部２８を有する突片部２９が備わっている。そして、図１のようにダストカバー２０の上側にディスクドライブ１０を重ね合わせると、上記凹入部２４，２５，２６に、ディスクドライブ１０の枠フレーム１１にもともと備わっている凸部１４が嵌まり込むようになっている。
【００２４】
また、この実施形態では、上記仮固定手段５０が、ダストカバー２０の対角方向に位置する２つのコーナ部にそれぞれ一体に形成されている。仮固定手段５０の形成箇所をダストカバー２０の対角方向に位置する２つのコーナ部に定めた理由は、ディスクドライブ１０の枠フレーム１１に備わっているところの、ダストカバー２０の仮固定に利用することのできる横向き突片１５に対する対応箇所が、ダストカバー２０の対角方向に位置する２つのコーナ部であることによる。図３のように、この仮固定手段５０は、ダストカバー２０に具備されて横向きに突き出ている突片３１の上面によって形成されている平坦な座面５１と、突片３１から立ち上げられた支持片部３２の上端から斜め内向きに延び出た弾性を備える押さえ片３３とを有していて、この押さえ片３３が上記座面１に一定の間隔を隔てて上下方向で対向し、かつ、その押さえ片３３の下面が押さえ面３４として形成されている。
【００２５】
この実施形態のディスク装置において、シャーシ１００（図４参照）に組み付ける前のディスクドライブ１０に対してダストカバー２０が仮固定される。この仮固定を行う手順の一例を説明する。すなわち、ダストカバー２０の仮固定手段５０を、ディスクドライブ１０の横向き突片１５の上方に位置させてから、ディスクドライブ１０を下降させてダストカバー２０に重ね合わせる作業を行う。この重ね合わせ作業では、ディスクドライブ１０の横向き突片１５に上記仮固定手段５０の押さえ片３３が弾性変形しながら摺動してその押さえ片３３が横向き突片１５を乗り越えさせる。そして、押さえ片３３を乗り越えた横向き突片１５が座面５１に着座すると、それに伴って押さえ片３３がその弾性により初期位置に復帰するので、その押さえ片３３の下面である押さえ面３４と座面５１との間に横向き突片１５が挟み込まれてダストカバー２０がディスクドライブ１０に仮固定される。この仮固定が行われることにより、図３のように、ダストカバー２０の突片部２９に備わっている取付けビス挿通孔部２８に、ディスクドライブ１０に備わっている取付け孔部１３が重なり合う。したがって、仮固定状態では、取付け孔部１３に挿通させた取付けビス（不図示）が取付けビス挿通孔部２８にも挿通されるように取付け孔部１３と取付けビス挿通孔部２８とが位置合わせされている。
【００２６】
ディスクドライブ１０とダストカバー２０との仮固定状態は、ダストカバー２０がディスクドライブ１０から脱落しないようにそのディスクドライブ１０に保持されていれば十分であって、ディスクドライブ１０とダストカバー２０との間にがたつきがあってもかまわない。
【００２７】
ディスクドライブ１０のシャーシ１００へのビス止めによる取付けは、上記のようにダストカバー２０を仮固定した後に行われる。すなわち、図４のように、シャーシ１００の上に、ディスクドライブ１０に仮固定されているダストカバー２０を置いてその取付けビス挿通孔部２８をシーシ１００のボス１３０に設けられている取付け孔１２０に位置合わせし、その後、ディスクドライブ１０の取付け孔部１３に挿通させて取付けビス１１０をダストカバー２０の取付けビス挿通孔２８に挿通させて上記ボス１３０の取付け孔１２０にねじ込む。取付けビス１１０による取付け箇所は、たとえば図６に示したようにディスクドライブ１０の周囲４箇所に定められている。そのため、ディスクドライブ１０をシャーシ１００に上記のようにビス止めすることによって、ダストカバー２０がシャーシ１００とディスクドライブ１０とにより挟まれてそれら３者が一体化され、シャーシ１００に対するディスクドライブ１０の組み付けが完了する。そして、組付け状態では、ダストカバー２０がディスクドライブ１０の開放された下面の全体を覆うので、ディスクドライブ１０の光ピックアップの対物レンズに塵芥が付着することが防止される。
【００２８】
また、上記実施形態では、ダストカバー２０が定形の樹脂成形体でなることにより、仮にディスクドライブ１０から引き出されたケーブルがそのダストカバー２０に当たっても、それによってダストカバー２０が変形するという事態の発生する余地はない。
【００２９】
ところで、ディスクドライブ１０の光ピックアップの対物レンズに塵芥が付着するという事態が問題になるのは、ディスクだけを取り扱うＤＶＤレコーダやＤＶＤプレーヤのような専用機器における場合よりも、むしろ、ＤＶＤレコーダやＤＶＤプレーヤと共に磁気テープ装置（ビデオレコーダのように磁気テープの磁気的処理を行う機能を備えたもの）を１つの筐体に横に並べて収容してあるような複合機器においてである。これは、複合機器にあっては、ディスクドライブ１０の発熱を抑制するためのファンが筐体に設置されていて、そのファンの駆動に伴う風の流れがディスクドライブ１０の開放された下面側に主に起こるからである。一方、このような複合機器にあっては、ディスクドライブ１０の高さ寸法が磁気テープ装置の高さ寸法よりも短い場合が多い。そのため、筐体にそれらのディスクドライブ１０と磁気テープ装置とを横に並べて収容させると、ディスクドライブ１０が磁気テープ装置よりも背低になって両者のレイアウトがデザイン面の不都合を招くとされている。
【００３０】
そこで、ディスクドライブ１０を嵩上げすることによってその設置高さを磁気テープ装置に合わせるということが行われるのであるけれども、上記した実施形態では、ダストカバー２０に定形の樹脂成形体を用い、それをディスクドライブ１０の下側に配備するという構成を採用してあるので、ダストカバー２０に、ディスクドライブ１０を嵩上げするための機能を持たせることによって、ディスクドライブ１０の設置高さを磁気テープ装置に合わせることが可能になる。この点を図５を参照して次に説明する。
【００３１】
図５は上記した複合機器の構成を示した説明図であり、２００は磁気テープ装置、１０はディスクドライブ、２０はダストカバーをそれぞれ示し、ディスクドライブ１０とダストカバー２０とを備えてなるディスク装置（図１に示したもの）が、横長偏平箱形の１つの筐体３００に横に並べて収容されている。この複合機器において、磁気テープ装置２００の高さ寸法Ａに比べて、ディスクドライブ１０の高さ寸法Ｂは短くなっている。そこで、そのディスクドライブ１０の開放された下面を覆っているダストカバー２０の高さ、すなわち図２に示したダストカバー２０の側板部２３の高さを、上記の各高さ寸法Ａ，Ｂの差を勘案して適切に定めることによってディスクドライブ１０を嵩上げし、そのディスクドライブ１０の設置高さ寸法Ｃを磁気テープ装置２００のそれに概略的に合わせてある。こうしておくと、ディスクドライブ１０が磁気テープ装置よりも背低になって両者のレイアウトがデザイン面の不都合を招くという事態を生じない。
【００３２】
なお、図１〜図６においては、説明の便宜上、同一又は相応する部分に同一符号を付してある。
【図面の簡単な説明】
【００３３】
【図１】本発明に係るディスク装置の概略斜視図である。
【図２】定形の樹脂成形体でなるダストカバーの斜視図である。
【図３】図２のダストカバーが仮固定されたディスクドライブを一部省略して説明的に示した縦断面図である。
【図４】ディスクドライブとダストカバーとをシャーシにビス止めした状態を説明的に示した縦断面図である。
【図５】複合機器の構成を示した説明図である。
【図６】従来例によるディスク装置とそのディスク装置が取り付けられるシャーシとを示した概略分解斜視図である。
【符号の説明】
【００３４】
１０  ディスクドライブ
１３  取付け孔部
１５  横向き突片
１０  取付けビス
２０  ダストカバー
２８  取付けビス挿通孔部
３３  押さえ片
３４  押さえ面
５０  仮固定手段
１００  シャーシ
２００  磁気テープ装置
３００  筐体
【図１】
2008112529.tif 000003
【図２】
2008112529.tif 000004
【図３】
2008112529.tif 000005
【図４】
2008112529.tif 000006
【図５】
2008112529.tif 000007
【図６】
2008112529.tif 000008